(57)【特許請求の範囲】
【請求項１】
第一コネクタと第二コネクタを有するコネクタ装置であって、
上記第一コネクタは、第一ハウジングを有し、上記第一ハウジングの外周面の一の側に、ケーブルの一端を取り付けることができるようになっており、
上記第二コネクタは、実装可能な第二ハウジングを有し、上記第二ハウジングの内周面は、上記第一コネクタが上記第二コネクタに取り付けられたときに上記一の側以外の上記第一ハウジングの外周面の少なくとも一部と対峙するようになっており、
上記第二ハウジングの内周面と対峙する上記第一ハウジングの外周面の少なくとも一部に、実装面に向かうにつれて上記ケーブルの一端側から他端側へ上記ケーブルの延出方向に沿って傾斜する傾斜面が設けられており、該傾斜面を上記第二ハウジングの少なくとも一部と衝突させることにより、上記第一コネクタの上記第二コネクタに対する取付過程において、上記第一コネクタを上記第二コネクタに対して上記ケーブルの一端側から他端側へ上記ケーブルの延出方向に沿って移動させるように構成されており、
上記第一ハウジングは、持ち上げ部を有し、
上記持ち上げ部は、上記第一コネクタが上記第二コネクタに取り付けられたときに上記一の側と上記一の側に対向する側との間に位置する上記第二ハウジングの対向する各側にそれぞれ突出する側方突出部を有し、
少なくとも、上記側方突出部の上記一の側に対向する側の外周面に、上記傾斜面が設けられており、
上記第一コネクタが上記第二コネクタに取り付けられたときに上記一の側と上記一の側に対向する側との間に位置する上記第二ハウジングの対向する各側に上記側方突出部を逃がす逃し部が設けられており、上記逃し部に上記側方突出部に形成された傾斜面に対応する傾斜面が設けられていることを特徴とするコネクタ装置。
【請求項２】
上記第一ハウジングの傾斜面は、上記第一ハウジングの外周面のうち、上記一の側に対向する側に設けられている請求項１に記載のコネクタ装置。
【請求項３】
上記第一ハウジングの傾斜面は、上記第一ハウジングの外周面のうち、上記一の側と上記一の側に対向する側との間に位置する壁面に設けられている請求項１に記載のコネクタ装置。
【請求項４】
上記第二ハウジングの内周面と対峙する上記第一ハウジングの外周面の少なくとも一部に、上記実装面に向かうにつれて上記ケーブルの延出方向に沿って上記ケーブルの一端側から他端側へ傾斜する他の傾斜面が設けられており、
これに対応して、上記第一ハウジングの外周面と対峙する上記第二ハウジングの内周面の少なくとも一部に、上記実装面に向かうにつれて上記ケーブルの延出方向に沿って上記ケーブルの一端側から他端側へ傾斜する他の傾斜面が設けられており、
上記第二ハウジングの上記他の傾斜面は、少なくとも上記第一コネクタの上記第二コネクタに対する取付完了時に、上記第一ハウジングの上記他の傾斜面との間に上記ケーブルの延出方向において重なり部分を有するように上記ケーブルの他端側から一端側に向って突出している請求項３に記載のコネクタ装置。
【請求項５】
上記第二ハウジングに、上記第二コネクタを上記実装面に固定する固定金具が設けられており、該固定金具の一部は、上記実装面との固定部分よりも、上記第一ハウジングの上記他の傾斜面の側に延長されている請求項４に記載のコネクタ装置。
【請求項６】
上記第二ハウジングの内周面と対峙する上記第一ハウジングの外周面に外方に突出している係止用突部が設けられており、
これに対応して、上記第一ハウジングの外周面と対峙する上記第二ハウジングの内周面に、上記第一コネクタが上記第二コネクタに載置されたときに上記第一ハウジングの上記係止用突部よりも内方に突出している、上記係止用突部のための載置部が設けられており、
上記衝突を通じて上記第一コネクタを上記第二コネクタに対して上記ケーブルの一端側から他端側へ上記ケーブルの延出方向に沿って移動させる前に、上記第一ハウジングは、上記係止用突部と上記載置部の当接と、上記第一ハウジングに設けた端子と上記第二ハウジングに設けた端子の当接とを通じて、上記第二ハウジングに対して所定の姿勢で位置決めされる請求項１乃至５のいずれかに記載のコネクタ装置。
【請求項７】
上記第一ハウジングに設けられた係止用突部が上記第二ハウジングに設けられた載置部を乗り越えることによって、上記第一コネクタは上記第二コネクタに係止される請求項６に記載のコネクタ装置。
【請求項８】
上記第一ハウジングの外周面は上面視略矩形であって、
上記第一ハウジングの上記係止用突部は、上記第一ハウジングの上記一の側と上記一の側に対向する側との間に位置する対向する左右各側の外周面に設けられており、上記第二ハウジングの上記載置部は、上記第二ハウジングの上記一の側と上記一の側に対向する側との間に位置する対向する左右各側の内周面に設けられている請求項６又は７に記載のコネクタ装置。
【請求項９】
上記第二ハウジングの内周面に、上記第一ハウジングを上記実装面へ向かって案内する案内面が設けられている請求項１乃至８のいずれかに記載のコネクタ装置。
【請求項１０】
上記第二コネクタは基板実装型のコネクタである請求項１乃至９のいずれかに記載のコネクタ装置。
【請求項１１】
上記第二ハウジングの内周面と対峙する上記第一ハウジングの外周面の少なくとも一部に、上記実装面に向かうにつれて上記ケーブルの一端側から他端側へ上記ケーブルの延出方向に沿って傾斜する傾斜面を設けることに代えて、又は、これとともに、上記第一ハウジングの外周面と対峙する上記第二ハウジングの内周面の少なくとも一部に、上記実装面に向かうにつれて上記ケーブルの延出方向に沿って上記ケーブルの一端側から他端側へ傾斜する傾斜面が設けられており、
上記第二ハウジングの内周面の少なくとも一部に設けた上記傾斜面を上記第一ハウジングの少なくとも一部と衝突させることにより、上記第一コネクタの上記第二コネクタに対する取付過程において、上記第一コネクタを上記第二コネクタに対して上記ケーブルの一端側から他端側へ上記ケーブルの延出方向に沿って移動させる請求項１乃至１０のいずれかに記載のコネクタ装置。
【請求項１２】
請求項１乃至１１のいずれかに記載のコネクタ装置に用いる第一コネクタ又は第二コネクタ。
【発明の詳細な説明】
【技術分野】
【０００１】
本発明は、ケーブルを取り付けることができるコネクタと実装可能なコネクタを有するコネクタ装置、及び、これに用いるコネクタに関する。
【背景技術】
【０００２】
特許文献１には、この種のコネクタ装置のうち、特に電気コネクタ装置の一例が示されている。このコネクタ装置は、互いに嵌合可能な第一コネクタと第二コネクタの組から成る。第一コネクタは、第一ハウジングと、この第一ハウジングに設けられた第一端子を有する。第二コネクタは、第一ハウジングを設置する凹部を設けた第二ハウジングと、第二ハウジングに設けられ第一端子と電気的に接続され得る第二端子を有する。
【０００３】
第一ハウジングは、ケーブルの一端に取り付けられるケーブルコネクタのために使用される。第二ハウジングは、実装基板等の実装面に固定して使用することができる。
【０００４】
このコネクタ装置において、第一コネクタと第二コネクタを嵌合させるためには２つの動作を必要とする。第一の動作として、先ず、第一コネクタを第二コネクタの凹部に挿入することが必要となる。この第一の動作は、第一コネクタを凹部に対して垂直方向に移動させることによって行われる。次いで、第二の動作として、第一コネクタを凹部に係止させるために、第一コネクタを第二コネクタに対して水平方向に移動させることが必要となる。この第二の動作を通じて、第一コネクタの外周面にて外方に突出する凸部が凹部の内周面にて内方に突出する凸部の下側にスライド移動し、この結果、第一コネクタと第二コネクタはロックされることになる。
【先行技術文献】
【特許文献】
【０００５】
【特許文献１】特開２０１３−２６１５９号公報
【発明の概要】
【発明が解決しようとする課題】
【０００６】
上記の従来構成では、第一コネクタと第二コネクタを嵌合させるために、垂直方向への移動動作と水平方向への移動動作の２つの動作が必要であり、従って、取付作業が非常に煩雑であり、例えば、ロボットを用いた自動化には困難であった。
また、ロックをコネクタの前後方向で、ここでは特に後方（ケーブルの取り付け側とは反対側）で、行う構造となっているため、装置が前後方向において大型になっていた。
本願発明はこのような従来技術における問題点を解決するためになされたものであり、一つの動作で、垂直方向への移動と水平方向への移動の双方を同時に実現することができるコネクタ装置を提供することを主たる目的とする。
また、このような移動を通じて、第一コネクタと第二コネクタを互いに係止させることができるコネクタ装置を提供することをも目的とする。更に、第一コネクタと第二コネクタの取付作業が完了した後は、第一コネクタに接続されたケーブルの後端側が持ち上げられて第一コネクタが不用意に抜出方向に移動されようとしたときでも、第一コネクタの抜出を効果的に阻止する構成とすることができるコネクタ装置を提供することを目的とする。更に、装置を小型化することを目的とする。
【課題を解決するための手段】
【０００７】
本発明の一つの態様によるコネクタ装置は、第一コネクタと第二コネクタを有するコネクタ装置であって、上記第一コネクタは、第一ハウジングを有し、上記第一ハウジングの外周面の一の側に、ケーブルの一端を取り付けることができるようになっており、上記第二コネクタは、実装可能な第二ハウジングを有し、上記第二ハウジングの内周面は、上記第一コネクタが上記第二コネクタに取り付けられたときに上記一の側以外の上記第一ハウジングの外周面の少なくとも一部と対峙するようになっており、上記第二ハウジングの内周面と対峙する上記第一ハウジングの外周面の少なくとも一部に、実装面に向かうにつれて上記ケーブルの一端側から他端側へ上記ケーブルの延出方向に沿って傾斜する傾斜面が設けられており、該傾斜面を上記第二ハウジングの少なくとも一部と衝突させることにより、上記第一コネクタの上記第二コネクタに対する取付過程において、上記第一コネクタを上記第二コネクタに対して上記ケーブルの一端側から他端側へ上記ケーブルの延出方向に沿って移動させることを特徴として有する。
このような本発明によれば、第一コネクタを第二コネクタに対して押し付けるという一つの動作で、垂直方向への移動と水平方向への移動の双方を同時に実現することができるコネクタ装置が提供される。
ここで、上記第一ハウジングの傾斜面は、上記第一ハウジングの外周面のうち、上記一の側に対向する側に設けられていてもよいし、上記第一ハウジングの傾斜面は、上記第一ハウジングの外周面のうち、上記一の側と上記一の側に対向する側との間に位置する壁面に設けられていてもよい。
【０００８】
上記態様のコネクタ装置において、上記第二ハウジングの内周面と対峙する上記第一ハウジングの外周面の少なくとも一部に、上記実装面に向かうにつれて上記ケーブルの延出方向に沿って上記ケーブルの一端側から他端側へ傾斜する他の傾斜面が設けられており、
これに対応して、上記第一ハウジングの外周面と対峙する上記第二ハウジングの内周面の少なくとも一部に、上記実装面に向かうにつれて上記ケーブルの延出方向に沿って上記ケーブルの一端側から他端側へ傾斜する他の傾斜面が設けられており、上記第二ハウジングの上記他の傾斜面は、少なくとも上記第一コネクタの上記第二コネクタに対する取付完了時に、上記第一ハウジングの上記他の傾斜面との間に上記ケーブルの延出方向において重なり部分を有するように上記ケーブルの他端側から一端側に向って突出していてもよい。
このような構成とすることにより、例えば、第一コネクタに接続されたケーブル他端側が持ち上げられて第一コネクタが凹部から不用意に抜出方向に移動されようとしたときでも、第一コネクタのハウジングの傾斜面と、第二コネクタのハウジングの傾斜面とを衝突させて、第一コネクタの抜出を効果的に阻止することができる。
【０００９】
また、上記態様のコネクタ装置において、上記第二ハウジングの内周面と対峙する上記第一ハウジングの外周面に外方に突出している係止用突部が設けられており、これに対応して、上記第一ハウジングの外周面と対峙する上記第二ハウジングの内周面に、上記第一コネクタが上記第二コネクタに載置されたときに上記第一ハウジングの上記突部よりも内方に突出している、上記係止用突部のための載置部が設けられており、  上記衝突を通じて上記第一コネクタを上記第二コネクタに対して上記ケーブルの一端側から他端側へ上記ケーブルの延出方向に沿って移動させる前に、上記第一ハウジングは、上記係止用突部と上記載置部の当接と、上記第一ハウジングに設けた端子と上記第二ハウジングに設けた端子の当接とを通じて、上記第二ハウジングに対して所定の姿勢で位置決めされてもよい。
この構成により、ユーザは、第一コネクタを、実際に、第二コネクタに対して取り付ける前に、第一コネクタを第二コネクタに安定した状態で位置決めすることができる。
【００１０】
また、上記態様のコネクタ装置において、上記第一ハウジングに設けられた係止用突部が上記第二ハウジングに設けられた載置部を乗り越えることによって、上記第一コネクタは上記第二コネクタに係止されるようになっていてもよい。
このような構成とすることにより、第一コネクタを第二コネクタに対して押し付けるという一つの動作を通じて、第一コネクタと第二コネクタを互いに係止させることができる。
【００１１】
更に、上記態様のコネクタ装置において、上記第一ハウジングの外周面は上面視略矩形であって、上記第一ハウジングの上記係止用突部は、上記第一ハウジングの上記一の側と上記対向する側との間に位置する対向する左右各側の外周面に設けられており、上記第二ハウジングの上記載置部は、上記第二ハウジングの上記一の側と上記対向する側との間に位置する対向する左右各側の内周面に設けられていてもよい。
【００１２】
更に、上記態様のコネクタ装置において、上記第二ハウジングの内周面に、上記第一ハウジングを上記実装面へ向かって案内する案内面が設けられているのが好ましい。
これにより、第一ハウジング部を凹部の底部へ向かってスムーズに案内することができる。
【００１３】
更に、上記態様のコネクタ装置において、上記第二コネクタは基板実装型のコネクタであってもよい。
【００１４】
更に、上記態様のコネクタ装置において、上記第二ハウジングの内周面と対峙する上記第一ハウジングの外周面の少なくとも一部に、上記実装面に向かうにつれて上記ケーブルの一端側から他端側へ上記ケーブルの延出方向に沿って傾斜する傾斜面を設けることに代えて、又は、これとともに、上記第一ハウジングの外周面と対峙する上記第二ハウジングの内周面の少なくとも一部に、上記実装面に向かうにつれて上記ケーブルの延出方向に沿って上記ケーブルの一端側から他端側へ傾斜する傾斜面を設け、上記第二ハウジングの内周面の少なくとも一部に設けた上記傾斜面を上記第一ハウジングの少なくとも一部と衝突させることにより、上記第一コネクタの上記第二コネクタに対する取付過程において、上記第一コネクタを上記第二コネクタに対して上記ケーブルの一端側から他端側へ上記ケーブルの延出方向に沿って移動させてもよい。
【００１５】
更にまた、上記態様のコネクタ装置において、上記第一ハウジングに、上記第一コネクタを上記実装面に固定する固定金具が設けられており、該固定金具の一部は、上記実装面との固定部分よりも、上記第一ハウジングの上記他の傾斜面の側に延長されていてもよい。
これにより、第二コネクタからの第一コネクタの抜出に対する力を強化して、抜出をより効果的に阻止することができる。
また、本発明の他の態様によれば、上記コネクタ装置に用いる第一コネクタ又は第二コネクタが提供される。
【発明の効果】
【００１６】
本発明によれば、一つの動作で、垂直方向への移動と水平方向への移動の双方を同時に実現することができるコネクタ装置が提供される。
また、このような移動を通じて、第一コネクタと第二コネクタを互いに係止させることができるコネクタ装置が提供される。更に、第一コネクタの不用意な抜出を効果的に阻止することができるコネクタ装置が提供される。また、装置が小型化される。
【図面の簡単な説明】
【００１７】
【図１】本発明のコネクタ装置の斜視図である。
【図２】本発明のコネクタ装置の平面図である。
【図３】ケーブルコネクタの後方斜視図である。
【図４】基板コネクタの後方斜視図である。
【図５】基板コネクタの平面図である。
【図６】図５の断面図である。
【図７】固定金具の斜視図である。
【図８】取付前におけるケーブルコネクタと基板コネクタの状態を示す図である。
【図９】図８のＣ−Ｃ線断面図である。
【図１０】取付途中におけるケーブルコネクタと基板コネクタの状態を示す図である。
【図１１】図１０のＤ−Ｄ線断面図である。
【図１２】取付完了時におけるケーブルコネクタと基板コネクタの状態を示す図である。
【図１３】図１２のＥ−Ｅ線断面図である。
【図１４】本発明の効果の一例を示す図である。
【図１５】取付を解除する際の状態を示した上方斜視図である。
【図１６】変形例を示す部分拡大図である。
【発明を実施するための形態】
【００１８】
添付図面を参照して、本発明の好適な一つの実施形態によるコネクタ装置について説明する。尚、ここでは電気コネクタ装置を例に挙げて説明するが、勿論、本発明を電気コネクタ装置に限定する意図ではない。
【００１９】
図１は、本発明のコネクタ装置１０の上面斜視図、図２は、その平面図である。図面からは明らかでないが、コネクタ装置１０は、例えば、最長幅が約１０ｍｍ程度、高さが約１〜３ｍｍ程度のものであってもよい。コネクタ装置１０には、コネクタ２０とコネクタ６０の組が含まれる。コネクタ２０とコネクタ６０は、それらの面を並行に保った状態で、主として、コネクタ２０をコネクタ６０に対して、図示矢印「α」方向に接近させることによって取り付けられる（後述するように、本願の「取り付け」には、例えば、「嵌合」も含まれる）。各コネクタ２０、６０はそれぞれ、左右対称形状を有する。図１は、コネクタ２０をコネクタ６０に取り付ける前の状態を、図２は、取り付けた後の状態を、それぞれ示している。
【００２０】
コネクタ２０は、ケーブルの一端に取り付けられるケーブルコネクタとして構成されてもよい。このケーブルコネクタ２０には、例えば、６本のケーブル１を取り付けることができる。ケーブルには、電気ケーブル、光ケーブル、その他の各種のケーブルを使用することができるが、ここでは、一例として、電気ケーブル１を示している。
【００２１】
コネクタ６０は、実装面、例えば、電子基板２の面２Ａに実装可能な基板コネクタ６０として構成することができる。尚、図１の基板２は、比較的小さく示されているが、実際には、コネクタ６０の周囲に大きく拡がっていると考えてよい。電気ケーブル１の主要部分は、ケーブルコネクタ２０と基板コネクタ６０の取付前後の全過程において、常に、基板２の上或いはその上方に配置される。
【００２２】
図３に、ケーブルコネクタ２０の後方斜視図を示す。ケーブルコネクタ２０は、ハウジング２１と、端子２２を形成する端子金具２７を含む。
【００２３】
ハウジング２１は、全体として扁平な略箱形状を有し、主に、本体部２６と、その前側に設けた持ち上げ部２３から成る。ハウジング２１の外周面３４は、例えば、上面視略矩形状であってもよい。ケーブル１の一端は、端子金具２７に固定されており、この端子金具２７は、ハウジング２１の上面２１Ａに設けたランス２４を利用してハウジング２１に係止されている。ハウジング２１の外周面３４の後側（一の側）３３の壁面には、ケーブル１の他端側１Ａをハウジング２１の外部に取り出すための取出部２５が設けられている。
【００２４】
外周面３４の前側３１、換言すれば、後側３３に対向する側３１の壁面は、主に、持ち上げ部２３によって構成されている。持ち上げ部２３の前面は、異なる傾斜角を有した３つの主面、即ち、略中央に位置する傾斜面４１Ａと、この傾斜面４１Ａの上側に位置する比較的小さな若干丸みを帯びた面４１Ｂと、傾斜面４１Ａの下側に位置する比較的大きな垂直面４１Ｃを含む。
【００２５】
中央に位置する傾斜面４１Ａは、実装面２Ａに向かうにつれてケーブル１の一端側（ケーブル１から見てハウジング２１が設けられた側）から他端側１Ａへケーブル１の延出方向「β」に沿って傾斜するように構成されている。この傾斜面４１Ａを上下各側から挟み込む面４１Ｂ、４１Ｃについては、必ずしも丸みを帯びた面や垂直面にする必要はなく、例えば、それらを傾斜させて傾斜面４１Ａの一部に組み込んでもよい。
【００２６】
ハウジング２１の外周面３４のうち、前側３１と後側３３との間に位置して対向する左右各側３５の外周面３４には、側方に突出したロック突部５２が設けられている。ケーブルコネクタ２０を基板コネクタ６０に対して取り付ける際、ロック突部５２は、基板コネクタ６０側の案内溝９２に嵌る。ロック突部５２は、例えば、側面視略台形形状を有する。台形の後側の辺は、実装面２Ａに向かうにつれてケーブル１の延出方向「β」に沿ってケーブル１の一端側から他端側１Ａへ傾斜する傾斜面４３として形成されている。一方、台形の前側の辺は、実装面２Ａに対して垂直に延びる面４４として形成されている。垂直面４４とすることにより、ケーブルコネクタ２０を基板コネクタ６０に対して取り付ける際、ロック突部５２と案内溝９２との取付状態を上方から目視することができるという利点がある。但し、必ずしも垂直面とする必要はなく、傾斜面４３と同様の傾斜面としてもよい。この点については後述する。
【００２７】
ハウジング２１の外周面３４のうち、前側３１と後側３３との間に位置して対向する左右各側３５の外周面３４、例えば、ロック突部５２よりも前側に、側方に突出した係止用突部５１が設けられている。特に図示しないが、係止用突部５１を、ロック突部５２よりも後側３３に寄った位置に、或いは、前側３１に設けてもよい。係止用突部５１は、ハウジング２１の外周面３４から外方に突出していれば足りる。尚、ハウジング２１の底部側の縁部には、設置空間６４への設置をスムーズにするためにテーパー４１Ｄを設けておくのが好ましい。
【００２８】
図４に、コネクタ６０の後方斜視図、図５に、コネクタ６０の平面図、更に、図６の（ａ）に、図５のＡ−Ａ線断面図、（ｂ）に、図５のＢ−Ｂ線断面図を、それぞれ示す。基板コネクタ６０は、ハウジング６１と、このハウジング６１に設けられ、ケーブル２と電気的に接続される端子６２と、更に、ケーブルコネクタ２０を実装面２Ａに固定するための固定金具６３を有する。
【００２９】
ハウジング６１は、例えば、上面視略「コ」の字状であってもよく、この場合、直線状の基部６１Ａと、基部６１Ａの両端部からそれぞれ延びる直線状の一対のアーム部６１Ｂから構成される。任意であるが、更に、基部６１Ａとアーム部６１Ｂを繋ぐ底板７８を有していてもよい。
【００３０】
「コ」の字の内部に形成された空間は、ケーブルコネクタ２０のハウジング２１が設置される設置空間６４として利用される。設置空間６４を構成するハウジング６１の内周面７４の少なくとも一部は、ハウジング２１の外周面３４、例えば、ケーブル２の取出部２５を設けたハウジング２１の後側３３以外の少なくとも一部と互いに相補形状を成し、ケーブルコネクタ２０を基板コネクタ６０に対して取り付けたとき、換言すれば、設置空間６４にケーブルコネクタ２０のハウジング２１が設置されたときに、ハウジング６１の内周面７４と対峙するようになっている。
【００３１】
基板コネクタ６０のハウジング６１の内周面７４には、ケーブルコネクタ２０のハウジング２１を実装面２Ａへ向かって誘い込むための案内面６８Ａ乃至Ｃが設けられている。
【００３２】
ケーブルコネクタ２０のハウジング２１の外周面３４と対峙し得る、基部６１Ａの内周面には、案内面６８Ｃに続いて、垂直面８２が形成されている。また、基部６１Ａとアーム部６１Ｂとの境界部には、傾斜面８１が、更に、ケーブルコネクタ２０の持ち上げ部２３に対応して、傾斜面８１よりも後方のアーム部６１Ｂの対応部分には、持ち上げ部２３の側方突出部２３Ａ、２３Ｂを外方に逃がす逃し部６５Ａ、６５Ｂが設けられている。
【００３３】
傾斜面８１は、ハウジング２１に設けた傾斜面４１Ａと同様に、実装面２Ａに向かうにつれてケーブル１の延出方向βに沿ってケーブル１の一端側から他端側１Ａへ傾斜している。傾斜面８１を設けることにより、ケーブルコネクタ２０の基板コネクタ６０に対する取付時における、ハウジング２１の傾斜面４１Ａとハウジング６１との衝突を防止できる。尚、傾斜面８１をハウジング２１と故意に衝突させるように構成することもできる。この点については後述する。
【００３４】
ケーブルコネクタ２０のロック突部５２に対応して、ケーブルコネクタ２０のハウジング２１の外周面３４と対峙し得る、アーム部６１Ｂの内周面に、案内溝９２が設けられている。案内溝９２は、例えば、側面視略平行四辺形とされている。後側の辺は、ロック突部５２の傾斜面４３に対応して、実装面２Ａに向かうにつれてケーブル１の延出方向「β」に沿ってケーブル１の一端側から他端側１Ａへ傾斜する傾斜面８３として、換言すれば、ケーブル１の他端側１Ａから一端側に向って突出した状態で形成されている。同様に、前側の辺も、実装面２Ａに向かうにつれてケーブル１の延出方向「β」に沿ってケーブル１の一端側から他端側１Ａへ傾斜する傾斜面８４として形成されている。これら傾斜面８３、８４の上部には、ケーブルコネクタ２０を基板コネクタ６０に対して実際に取り付ける前に、ケーブルコネクタ２０を基板コネクタ６０に安定した状態で位置決めするため、垂直面８３Ａ、８４Ａが設けられている。
【００３５】
ケーブルコネクタ２０の係止用突部５１に対応して、基板コネクタ６０のハウジング６１の内周面７４、例えば、アーム部６１Ｂの対応部分に、窪み部９１Ａが設けられている。ケーブルコネクタ２０の基板コネクタ６０に対する取付時には、ケーブルコネクタ２０の係止用突部５１が、この窪み部９１Ａに嵌る。窪み部９１Ａは、係止用突部５１に対応して側面視略矩形形状を有する。
【００３６】
窪み部９１Ａと、その上部に設けた、ハウジング２１を誘い込むための案内面６８Ｂとを利用して、突部９１が形成されている。突部９１は、ケーブルコネクタ２０を基板コネクタ６０に対して実際に取り付ける前に、換言すれば、ケーブルコネクタ２０の係止用突部５１が、基板コネクタ６０の窪み部９１Ａに嵌る前に、ケーブルコネクタ２０を基板コネクタ６０に対して位置決めするための載置部として機能する。載置部９１は、ハウジング２１に設けた係止用突部５１に対応して、前側７１と後側７３との間に位置する対向する左右各側７５の内周面７４に設けられており、また、ケーブルコネクタ２０が基板コネクタ６０に載置されたときにハウジング２１の係止用突部５１よりも内方に突出するような状態で設けられている。
【００３７】
基板コネクタ６０の端子６２は、各ケーブル１に対応して１つずつ、計６つ設けられている。各端子６２は、実装部６２Ａと立設部６２Ｂを含む。実装部６２Ａは、基板２の所定の配線部分に半田等によって接続される。一方、立設部６２Ｂは、ケーブルコネクタ２０の端子２２と物理的に接触される部分である。これらの端子６２は、固定金具６３とともに、ハウジング６１と一体成形される。尚、特に図示しないが、ハウジング２１の底面２１Ｂには、基板コネクタ６０に設けた端子６２の立設部６２Ｂが挿入される端子挿入部が設けられている。
【００３８】
図７の（ａ）、（ｂ）に、固定金具６３の斜視図を示す。固定金具６３は、基体６３Ａと、基体６３Ａよりも上方に且つ前方に延びる延長部６３Ｂと、基体６３Ａから側方に延びる延長部６３Ｃと、延長部６３Ｃと連続した状態で後方に延びる延長部６３Ｄを含む。基体６３Ａは、実装面２Ａに半田等によって固定される。延長部６３Ｂは、実装面２Ａに固定される基体６３Ａよりも、ハウジング２１の傾斜面４３の側に延長され、また、延長部６３Ｄは、実装面２Ａに固定される基体６３Ａよりも、ケーブル１の他端側１Ａに延長されている。前者の構成により、基板コネクタ６０からのケーブルコネクタ２０の不用意な抜出に対する力を強化して、抜出を効果的に阻止することができる。また、後者の構成により、固定金具６３のハウジング６１に対する固定をより強固にして、ケーブルコネクタ２０が後端側を持ち上げられて不用意に抜出方向に移動されようとしたときに、ケーブルコネクタの抜出をより強固に阻止することができる。
【００３９】
図８乃至図１３を参照して、電気コネクタ装置１０の取付動作を説明する。
図８は、取付前におけるケーブルコネクタ２０と基板コネクタ６０の状態を示す図であって、図５のＡ−Ａ線断面図に対応する図、図９は、図８のＣ−Ｃ線断面図である。図１０は、取付途中におけるケーブルコネクタ２０と基板コネクタ６０の状態を示す図であって、図５のＡ−Ａ線断面図に対応する図、図１１は、図１０のＤ−Ｄ線断面図である。図１２は、取付完了時におけるケーブルコネクタ２０と基板コネクタ６０の状態を示す図であって、図５のＡ−Ａ線断面図、図１３は、図１２のＥ−Ｅ線断面図である。
【００４０】
図８、９に示す状態から、図１０、１１に示す状態に至る際、ケーブルコネクタ２０は、ハウジング２１に設けたテーパー２９と、基板コネクタ６０のハウジング６１に設けた案内面６８を利用して、基板コネクタ６０の設置空間６４へと導かれる。
【００４１】
その後、図１０、１１に示すように、ケーブルコネクタ２０の端子２２と基板コネクタ６０の端子６２の当接を通じて、且つ、ケーブルコネクタ２０のハウジング２１に設けた係止用突部５１と基板コネクタ６０のハウジング６１に設けた載置部９１との当接を通じて、ケーブルコネクタ２０は、基板コネクタ６０に対して所定の姿勢で位置決めされる。この際、ハウジング２１は、基板２に対して略平行な状態となっている。このように、ケーブルコネクタ２０を基板コネクタ６０に対して完全に取り付ける前に、ケーブルコネクタ２０のハウジング２１を、基板コネクタ６０のハウジング６１に対して安定した姿勢で位置決めすることにより、その後の作業を安定的なものとすることができる。
【００４２】
その後、ケーブルコネクタ２０を基板コネクタ６０に押し付ける方向に力を加えることにより、図１０、１１に示す取付途中の状態から図１２、１３に示す取付完了状態とすることができる。このとき、ケーブルコネクタ２０のハウジング２１の前側３１の外周面３４に設けた傾斜面４１Ａは、基板コネクタ６０のハウジング６１の少なくとも一部、例えば、基部６１Ａの案内面６８Ａと垂直面８２との境界である縁６９と衝突し、この結果、ケーブルコネクタ２０は、基板コネクタ６０に対して、ケーブル１の一端側から他端側１Ａへケーブル１の延出方向「β」に沿って移動する。更に言えば、先ず、傾斜面４１Ａが縁６９に当接し、この当接状態を維持したままケーブルコネクタ２０全体が傾斜面４１Ａに沿って移動する。このように、傾斜面４１Ａが基準面となり、縁６９に対して擦動することによってケーブルコネクタ２０が移動する。
【００４３】
更に、これと同時に、ケーブルコネクタ２０の端子２２の接触部２２Ａの隙間に、基板コネクタ６０の端子６２の立設部６２Ｂが圧入されて、端子２２と端子６２が完全に接続されるとともに、ケーブルコネクタ２０のハウジング２１に設けられた係止用突部５１が、基板コネクタ６０のハウジング６１に設けられた載置部９１を乗り越えて、ケーブルコネクタ２０は基板コネクタ６０に係止される。尚、ケーブルコネクタ２０を基板コネクタ６０に押し付ける際には、ケーブルコネクタ２０の端子２２と基板コネクタ６０の端子６２との当接部付近で力を加えるのが好ましい。このような位置で力を加えることにより、基板コネクタ６０に対するケーブルコネクタ２０の姿勢を略維持したまま、換言すれば、ハウジング２１とハウジング６１とを略平行な状態に維持したまま、ケーブルコネクタ２０を基板コネクタ６０に対して移動させることができる。
【００４４】
また、このとき、ケーブルコネクタ２０のハウジング２１に設けたロック突部５２の傾斜面４３は、基板コネクタ６０のハウジング６１に設けた傾斜面８３の下側に潜り込む。この結果、図１２に示すように、少なくともケーブルコネクタ２０の基板コネクタ６０に対する取付完了時には、基板コネクタ６０のハウジング６１に設けた傾斜面８３は、ロック突部５２の傾斜面４３との間にケーブル１の延出方向「β」において重なり部分「Ｌ」を有した状態となる。このような重なり部分「Ｌ」を設けることにより、図１４に示すように、例えば、ケーブルコネクタ２０に接続されたケーブル１の後端側が持ち上げられてケーブルコネクタ２０が設置空間６４から不用意に抜出方向に移動されようとしたときでも、ケーブルコネクタ２０のハウジング２１の傾斜面４３と、基板コネクタ６０のハウジング６１の傾斜面８３とを衝突させて、ケーブルコネクタ２０の抜出を効果的に阻止することができる。
【００４５】
コネクタ２０とコネクタ６０の取付を解除する際は、図１５の上方斜視図に示すように、逃し部６５Ａ、６５Ｂを利用して外部に突出させた側方突出部２３Ａ、２３Ｂを、例えば、片方の手の指で同時につまんで上方へと持ち上げて、コネクタ６０に対して上向き傾斜姿勢とすればよい。上向き傾斜姿勢とすることにより、ケーブルコネクタ２０の係止用突部５１と、基板コネクタ６０の窪み部９１Ａとの間のロック状態を解除することができる。尚、持ち上げ部２３を通じてハウジング２１に均等に力を加えるという意味では、側方ではなく前方に持ち上げに使用する突出部を形成し、前方で力を加えるのが好ましいが、前方で力を加えるには、持ち上げ部を、基板コネクタ６０のハウジング６１の上部を超えて更に前方に突出させなければならず、この結果、コネクタの厚みが厚くなり、装置の低背化、若しくは、小型化が著しく害される。故に、本実施形態では、前方ではなく、あえて側方に突出部２３Ａ、２３Ｂを設けている。
【００４６】
変形例として、ハウジング６１を構成する基部６１Ａとアーム部６１Ｂとの境界部に設けた傾斜面８１を、ケーブルコネクタ２０のハウジング２１に設けた傾斜面４１Ａと同様に、ケーブルコネクタ２０を基板コネクタ６０に対してケーブル１の一端側から他端側１Ａへケーブル１の延出方向「β」に沿って移動させるために用いてもよい。この場合には、ケーブルコネクタ２０のハウジング２１には傾斜面４１Ａを設けずに、例えば、垂直面４１Ｃに沿う垂直面等に変更する。傾斜面４１Ａを取り除いた場合、持ち上げ部２３の側方突出部２３の前側底部の縁３１Ａは、傾斜面８１と衝突することになり、この結果、ケーブルコネクタ２０は基板コネクタ６０に対して、ケーブル１の一端側から他端側１Ａへケーブル１の延出方向「β」に沿って移動される。
図１６に他の変形例を示す。この図は、ロック突部５２Ａだけを側面から見た部分拡大図である。この変形例に示すように、ロック突部５２Ａを、図１等に示した実施形態のように側面視略台形形状ではなく、案内溝９２と同様の側面視平行四辺形とし、その前側の辺を後側の辺と同様に、実装面２Ａに向かうにつれてケーブル１の延出方向「β」に沿ってケーブル１の一端側から他端側１Ａへ傾斜する傾斜面４３Ａとしてもよい。このような傾斜面４３Ａを、傾斜面４３の代わりに、又は、傾斜面４３と共に、溝部９２の一部、例えば、傾斜面８４の一部と衝突させて、ケーブルコネクタ２０を基板コネクタ６０に対してケーブル１の一端側から他端側１Ａへケーブル１の延出方向「β」に沿って移動させてもよい。
【００４７】
同様に、ケーブルコネクタ２０のロック突部５２の垂直面４４の底部４４Ａを、ケーブルコネクタ２０を基板コネクタ６０に対してケーブル１の一端側から他端側１Ａへケーブル１の延出方向「β」に沿って移動させるために用いることもできる。この場合、ケーブルコネクタ２０の底部４４Ａが、基板コネクタ６０の傾斜面８４と衝突し、この結果、ケーブルコネクタ２０は基板コネクタ６０に対して、ケーブル１の一端側から他端側１Ａへケーブル１の延出方向「β」に沿って移動される。このように、適当な位置に傾斜面を設けることにより、また、それらの傾斜面の組み合わせにより、ケーブルコネクタ２０を基板コネクタ６０に対して、ケーブル１の一端側から他端側１Ａへ移動させることができる。
【００４８】
本発明は、上述した実施の形態に限定されるわけではなく、その他種々の変更が可能である。例えば、本発明のコネクタ装置の構成は、電気コネクタ装置に限らず、光コネクタ装置に利用することもできる。光コネクタ装置に使用する場合には、電気ケーブル１に代えて光ファイバケーブルが接続される。
また、ケーブルコネクタ２０のハウジング２１の外周面３４や、基板コネクタ６０の設置空間６４の内周面７４は、必ずしも矩形である必要はなく、一の側とこれに対向する側があれば、例えば、平面視円形や正方形等の他の形状であってもよい。
更に、本実施形態では、ハウジング６１について、上面視略「コ」の字状としたが、外周面の全てを取り囲んだ状態、即ち、例えば、上面視略四辺形としてもよい。したがって、コネクタ２０とコネクタ６０の「取り付け」の態様には、例えば、嵌合のような態様も勿論含まれる。
その他、本発明から逸脱しない限り、様々な変形が可能である。
【産業上の利用可能性】
【００４９】
取付時に、垂直方向への移動動作と水平方向への移動動作の２つの動作が必要である様々なコネクタ装置に適用することができる。
【符号の説明】
【００５０】
２Ａ  実装面
１０  コネクタ装置
２０  ケーブルコネクタ（第一コネクタ）
２１  第一ハウジング
３１  前側（一の側に対向する側）
３３  後側（一の側）
３４  外周面
４１Ａ  傾斜面
４３  傾斜面
６０  基板コネクタ（第二コネクタ）
６１  第二ハウジング
７４  内周面
【図１】
0006483038.tif 000002
【図２】
0006483038.tif 000003
【図３】
0006483038.tif 000004
【図４】
0006483038.tif 000005
【図５】
0006483038.tif 000006
【図６】
0006483038.tif 000007
【図７】
0006483038.tif 000008
【図８】
0006483038.tif 000009
【図９】
0006483038.tif 000010
【図１０】
0006483038.tif 000011
【図１１】
0006483038.tif 000012
【図１２】
0006483038.tif 000013
【図１３】
0006483038.tif 000014
【図１４】
0006483038.tif 000015
【図１５】
0006483038.tif 000016
【図１６】
0006483038.tif 000017